(57)【要約】【課題】便座と便器本体との境界が露出することによるほこりの侵入を防止するとともに、清掃性および意匠性が向上した便器を提供すること。【解決手段】便器本体１の上端部の便座載置面６の外周縁６ａが便器本体のスカート部９の上端部外周縁９ａより便器本体の内側に位置し、便蓋３の閉時に、便蓋の外周縁から裏側に延びるフランジ部８の周端面８ａが便器本体の便座載置面より下側に配置されるとともに、フランジ部の外周面８ｂがスカート部の外周面９ｂの略延長面上に形成されている。【選択図】図１
2008127964.tif 000002
【特許請求の範囲】
【請求項１】
便器本体上端部の便座載置面の外周縁が便器本体のスカート部の上端部外周縁より便器本体の内側に位置し、便蓋閉時に、便蓋の外周縁から裏側に延びるフランジ部の周端面が便器本体の便座載置面より下側に配置され、フランジ部の外周面がスカート部の外周面の略延長面上に形成されていることを特徴とする便器。
【請求項２】
便器本体において、便座載置面の外周縁から下方に起立壁が立設され、便座載置面とスカート部上端部との間に段部が形成され、便蓋閉時に、便蓋のフランジ部の周端部が段部を外側から覆うように配置されることを特徴とする請求項１に記載の便器。
【請求項３】
便器本体において、スカート部の上端部外周縁から便座載置面の外周縁にかけて便器本体の内側に向かって傾斜する傾斜壁が形成され、便蓋閉時に、便蓋のフランジ部の周端部が傾斜壁の表面を上方から覆うように配置されることを特徴とする請求項１に記載の便器。
【請求項４】
便器本体のスカート部の外周面が上端から下方にかけてボウル側に向かう内向きテーパー状の傾斜面とされ、便蓋のフランジ部の外周面も内向きテーパー状の傾斜面であることを特徴とする請求項１ないし３いずれか一項に記載の便器。
【発明の詳細な説明】
【技術分野】
【０００１】
本発明は、便器に関する。
【背景技術】
【０００２】
住宅などのトイレルームに設置される便器については、様々な角度から検討が加えられ、多種多様な構造および意匠を有するものが提供されている。
【０００３】
また、便器についての検討は、便器本体のみならず、便器本体の上端開口部を開閉する便蓋にもなされ、たとえば特許文献１に記載されたような便蓋が知られている。
【０００４】
特許文献１に記載された便蓋では、軸支部の軸方向に対して直角な方向で軸支部から最も遠くに位置する先端周縁部の厚さが天面部の厚さの１０〜９０％とされるとともに、軸支部の軸方向に略平行な基端周縁部に補強手段が設けられ、射出成形後に外観を低下させ、開閉に支障をきたし、完全に閉止することができなくなるなどの原因となる基端周縁部の撓み変形を解消している。
【特許文献１】特開２００３−１６９７６２号公報
【発明の開示】
【発明が解決しようとする課題】
【０００５】
便蓋は、特許文献１に記載された便蓋を含め、一般に、便器本体の上端部に形成された便座載置面に載置された便座の上に載せて便器本体の上端開口部を閉止するものであるため、便蓋閉時に、便器本体の便座載置面に重ね合わされる便座裏面と便器本体の便座載置面との境界が露出している。
【０００６】
一方、図４に示したように、外周縁から裏面側にフランジ部４１が延設された便蓋４０が提供されてもいる。便蓋４０では、フランジ部４１の周端部によって便座４２の外周を覆うことができるようにしているが、それでも便蓋４０の閉時には、便座４２の裏面と便器本体４３の便座載置面との境界４４は露出する。境界４４は、便座４２に着座状態を安定させるなどのために座部４５が裏面から突出して設けられていると、隙間４６として顕在化される。
【０００７】
このように露出する便座４２の裏面と便器本体４３の便座載置面との境界には、ほこりが侵入しやすく、特に隙間４６では顕著である。このため、便器本体４３の便座載置面および便座４２の裏面の清掃を頻繁に行わなければならない。
【０００８】
また、便蓋４０のフランジ部４１は、便座４２の外周を覆うことができるようにしているため、フランジ部４１の外形は便器本体４３のスカート部４７の上端部の外形よりも大きく、したがって、便蓋４０のフランジ部４１の外周面は便器本体４３のスカート部４７の外周面から外側に突出し、便蓋４０と便器本体４３との間に段が形成される。このことは、便器の清掃性に反映し、便器外周面の清掃作業が便蓋４０とスカート部４７との間で分断され、また、スカート部４７の外周面の清掃の際に便蓋４０を跳ね上げてしまうなど、便器の清掃をスムーズに行うことができない。また、便蓋４０のフランジ部４１の外周面が便器本体４３のスカート部４７の外周面から外側に突出していることは、便蓋４０の閉時の便器全体として見ると、外観に一体感、統一感が欠けているように感じられる。
【０００９】
本発明は、以上の通りの事情に鑑みてなされたものであり、便座と便器本体との境界が露出することによるほこりの侵入を防止するとともに、清掃性および意匠性が向上した便器を提供することを課題としている。
【課題を解決するための手段】
【００１０】
本発明の便器は、上記の課題を解決するために、以下のことを特徴としている。
【００１１】
第１に、便器本体上端部の便座載置面の外周縁が便器本体のスカート部の上端部外周縁より便器本体の内側に位置し、便蓋閉時に、便蓋の外周縁から裏側に延びるフランジ部の周端面が便器本体の便座載置面より下側に配置され、フランジ部の外周面がスカート部の外周面の略延長面上に形成されている。
【００１２】
第２に、上記第１の特徴において、便器本体において、便座載置面の外周縁から下方に起立壁が立設され、便座載置面とスカート部上端部との間に段部が形成され、便蓋閉時に、便蓋のフランジ部の周端部が段部を外側から覆うように配置される。
【００１３】
第３に、上記第１の特徴において、便器本体において、スカート部の上端部外周縁から便座載置面の外周縁にかけて便器本体の内側に向かって傾斜する傾斜壁が形成され、便蓋閉時に、便蓋のフランジ部の周端部が傾斜壁の表面を上方から覆うように配置される。
【００１４】
第４に、上記第１ないし第３いずれか一つの特徴において、便器本体のスカート部の外周面が上端から下方にかけてボウル側に向かう内向きテーパー状の傾斜面とされ、便蓋のフランジ部の外周面も内向きテーパー状の傾斜面である。
【発明の効果】
【００１５】
上記第１の発明によれば、便器本体上端部の便座載置面の外周縁が便器本体のスカート部の上端部外周縁より便器本体の内側に位置し、便蓋閉時に、便蓋の外周縁から裏側に延びるフランジ部の周端面が便器本体の便座載置面より下側に配置されるため、便座裏面と便器本体の便座載置面との境界が、便蓋のフランジ部により隠れ、露出しない。便座裏面と便器本体の便座載置面との境界へのほこりの侵入が防止される。
【００１６】
また、便蓋閉時に、フランジ部の外周面はスカート部の外周面の略延長面上に配置されるため、便器外周面の清掃をスムーズに行うことができるとともに、便器全体の外観が一体感、統一感の高いものとなる。便器の清掃性および意匠性が向上する。
【００１７】
上記第２の発明によれば、上記第１の発明の効果に加え、便器本体において、便座載置面の外周縁から下方に起立壁が立設され、便座載置面とスカート部上端部との間に段部が形成され、便蓋閉時に、便蓋のフランジ部の周端部が段部を外側から覆うように配置されるため、便蓋の開閉に支障をきたすことなく、便蓋閉時にフランジ部の周端面を便器本体の便座載置面より下側に確実に配置することができる。
【００１８】
上記第３の発明によれば、上記第１の発明の効果に加え、便器本体において、スカート部の上端部外周縁から便座載置面の外周縁にかけて便器本体の内側に向かって傾斜する傾斜壁が形成され、便蓋閉時に、便蓋のフランジ部の周端部が傾斜壁の表面を上方から覆うように配置されるため、上記第２の発明と同様に、便蓋の開閉に支障をきたすことなく、便蓋閉時にフランジ部の周端面を便器本体の便座載置面より下側に確実に配置することができる。
【００１９】
上記第４の発明によれば、上記第１ないし第３いずれか一つの効果に加え、便蓋の便器本体の前端側の上端部を手掛け部として利用することができ、フランジ部の外周面が便器本体のスカート部の外周面の略延長面上に配置されても便蓋を容易に開けることができる。
【発明を実施するための最良の形態】
【００２０】
図１は、本発明の便器の第１の実施形態を示した斜視図である。図２は、図１に示した便器の要部断面図である。
【００２１】
図１および図２に示した便器では、便器本体１の上端後部に便座２および便蓋３が上下方向に回動自在に軸支されている。便器本体１の上端には、ボウル４に連通する開口部５が設けられ、開口部５の外周外側に便座載置面６が形成されている。便座２は、使用時および収納時に便座載置面６上に載置される。便座２の裏面には、着座状態を安定させるなどのために複数の座部７が便座２の外周縁に沿って内側に突設されている。便蓋３は、便座２の外形より大きな外形を有し、外周縁から裏側に向かってフランジ部８が延設されている。便蓋３は、便器本体１の開口部５を閉止する際には、図２に示したように、便座２を上方から覆い隠し、フランジ部８は便座２の外周外側に配置される。
【００２２】
また、図１および図２に示した便器では、便座載置面６の外周縁６ａが、便器本体１のスカート部９の上端部の外周縁９ａより便器本体１の内側に位置している。具体的には、便座載置面６の外周縁６ａから下方に起立壁１０が立設され、起立壁１０の下端とスカート部９の上端部の外周縁９ａとが上壁１１により接続されている。起立壁１０および上壁１１は、便器本体１において一体的に形成されており、起立壁１０および上壁１１によって便座載置面６とスカート部９の上端部との間に段部１２を形成している。便座２は、このように外周縁６ａが、便器本体１のスカート部９の上端部の外周縁９ａより便器本体１の内側に位置する便座載置面６上に使用時および収納時に載置され、その外周は、図２に示したように、便器本体１のスカート部９の上端部の外周縁９ａより便器本体１の内側に配置される。
【００２３】
便蓋３は、上記の通り、閉時に便座２を上方から覆い隠すが、便座２の外周外側に配置されるフランジ部８は、周端部が段部１２を外側から覆うように配置され、周端面８ａは便器本体１の便座載置面６より下側に配置される。このため、便蓋３の閉時に、便座２の裏面と便器本体１の便座載置面６との境界、具体的には、便座２の裏面に突設された座部７の存在によって形成される隙間１３を便蓋３のフランジ部８により隠すことができ、便器本体１の便座載置面６と便座２の裏面との境界に形成された隙間１３は露出しない。したがって、隙間１３にほこりが侵入するのを防止することができ、清掃の頻度を低減させることができる。また、段部１２によって、フランジ部８の周端部が起立壁１０と干渉することなく便蓋３の開閉が可能であり、便蓋３の開閉に支障はない。しかも、段部１２によって、便蓋３のフランジ部８の周端面８ａを便器本体１の便座載置面６より下側に確実に配置することができる。
【００２４】
また、便蓋３では、フランジ部８の外周面８ｂが、便器本体１のスカート部９の外周面９ｂの略延長面上に形成されており、便蓋３の閉時に、フランジ部８の外周面８ｂが便器本体１のスカート部９の外周面９ｂの略延長面上に配置される。したがって、便蓋３の閉時に便蓋３が便座２を外側から覆うように配置されても、便蓋３のフランジ部８が便器本体１のスカート部９の上端部から外側に突出することはなく、便蓋３と便器本体１との間に段が形成されない。このため、清掃作業が便蓋３と便器本体１との間で分断されることなく、便器外周面の清掃を連続して行うことができ、たとえば拭き掃除は、便器本体１の上下方向に一拭きで行うことができる。また、スカート部９の外周面９ｂの清掃の際に便蓋３を跳ね上げてしまうことはない。便器外周面の清掃をスムーズに行うことができる。さらに、便蓋３のフランジ部８の外周面８ｂが便器本体１のスカート部９の外周面９ｂの略延長面上に配置されるため、便蓋３の閉時における便器全体の外観が一体感、統一感の高いものとなり、よりシンプルな外観とすることができ、便器の意匠性が向上する。
【００２５】
そして、便器本体１のスカート部９の外周面９ｂは上端から下方にかけてボウル４側に向かう内向きテーパー状の傾斜面とされているため、便蓋３のフランジ部８の外周面８ｂも内向きテーパー状の傾斜面であり、したがって、便蓋３の便器本体１の前端側の上端部を手掛け部として利用することができ、フランジ部８の外周面８ｂが便器本体１のスカート部９の外周面９ｂの略延長面上に配置されても便蓋３を容易に開けることができる。
【００２６】
図３は、本発明の便器の第２の実施形態を示した要部断面図である。
【００２７】
図３に示した便器において、図１および図２に示した便器と共通する部分には同一の符号を付し、その説明を省略する。
【００２８】
図３に示した便器では、便器本体１において、スカート部９の上端部の外周縁９ａから便座載置面６の外周縁６ａにかけて便器本体１の内側に向かって傾斜する傾斜壁１４が形成されている。便蓋３の閉時には、便蓋３のフランジ部８の周端部が傾斜壁１４の表面１４ａを上方から覆うように配置され、フランジ部８の周端面８ａが便器本体１の便座載置面６より下側に配置される。
【００２９】
したがって、図３に示した便器においても、便蓋３の閉時に、便座２の裏面と便器本体１の便座載置面６との境界に形成される隙間１３を便蓋３のフランジ部８により隠すことができ、隙間１３は露出しない。隙間１３にほこりが侵入するのを防止することができ、清掃の頻度を低減させることができる。また、フランジ部８の周端部が傾斜壁１４と干渉することなく便蓋３の開閉が可能であり、便蓋３の開閉に支障はない。しかも、傾斜壁１４によって、便蓋３のフランジ部８の周端面８ａを便器本体１の便座載置面６より下側に確実に配置することができる。
【００３０】
また、図３に示した便器においても、便蓋３では、フランジ部８の外周面８ｂが、便器本体１のスカート部９の外周面９ｂの略延長面上に形成されており、便蓋３の閉時に、フランジ部８の外周面８ｂが便器本体１のスカート部９の外周面９ｂの略延長面上に配置される。したがって、便蓋３の閉時に便蓋３が便座２を外側から覆うように配置されても、便蓋３のフランジ部８が便器本体１のスカート部９の上端部から外側に突出することはなく、便蓋３と便器本体１との間に段が形成されることはない。このため、清掃作業が便蓋３と便器本体１との間で分断されることなく、便器外周面の清掃を連続して行うことができ、たとえば拭き掃除は、便器本体１の上下方向に一拭きで行うことができる。また、スカート部９の外周面９ｂの清掃の際に便蓋３を跳ね上げてしまうことはない。便器外周面の清掃をスムーズに行うことができる。さらに、便蓋３のフランジ部８の外周面８ｂが便器本体１のスカート部９の外周面９ｂの略延長面上に配置されるため、便蓋３の閉時における便器全体の外観が一体感、統一感の高いものとなり、よりシンプルな外観とすることができ、便器の意匠性が向上する。
【００３１】
そして、便器本体１のスカート部９の外周面９ｂは上端から下方にかけてボウル４側に向かう内向きテーパー状の傾斜面とされているため、便蓋３のフランジ部８の外周面８ｂも内向きテーパー状の傾斜面であり、したがって、便蓋３の便器本体１の前端側の上端部を手掛け部として利用することができ、フランジ部８の外周面８ｂが便器本体１のスカート部９の外周面９ｂの略延長面上に配置されても便蓋３を容易に開けることができる。
【図面の簡単な説明】
【００３２】
【図１】本発明の便器の第１の実施形態を示した斜視図である。
【図２】図１に示した便器の要部断面図である。
【図３】本発明の便器の第２の実施形態を示した要部断面図である。
【図４】従来の便器の一例を示した斜視図である。
【符号の説明】
【００３３】
１  便器本体
３  便蓋
４  ボウル
６  便座載置面
６ａ  外周縁
８  フランジ部
８ａ  周端面
８ｂ  外周面
９  スカート部
９ａ  外周縁
９ｂ  外周面
１０  起立壁
１２  段部
１４  傾斜壁
１４ａ  表面
【図１】
2008127964.tif 000003
【図２】
2008127964.tif 000004
【図３】
2008127964.tif 000005
【図４】
2008127964.tif 000006